(57)【要約】【課題】競技場を使用しない期間における天然芝の維持管理が簡便化でき、省力化やコストダウンを図ることが可能な競技場用天然芝の維持管理方法を提供する。【解決手段】競技場の土壌に植生される寒地型芝草の天然芝を維持管理する方法であり、天然芝を育成する育成期間と、天然芝の育成を一時的に停止させる休眠期間とを交互に設け、休眠期間は、少なくとも天然芝の近傍における雰囲気温度を０（℃）超１０（℃）未満とし、且つ、天然芝に対する光の日積算光量を０〜４０（ｍｏｌ・ｍ−２・ｄａｙ−１）の範囲とする。【選択図】なし【特許請求の範囲】
【請求項１】
競技場の土壌に植生される寒地型芝草の天然芝を維持管理する、競技場用天然芝の維持管理方法であって、
前記天然芝を育成する育成期間と、前記天然芝の育成を一時的に停止させる休眠期間とを交互に設け、
前記休眠期間は、少なくとも前記天然芝の近傍における雰囲気温度を０（℃）超１０（℃）未満とし、且つ、前記天然芝に対する光の日積算光量を０〜４０（ｍｏｌ・ｍ−２・ｄａｙ−１）の範囲とすることを特徴とする競技場用天然芝の維持管理方法。
【請求項２】
前記休眠期間は、前記土壌への肥料の施肥量を、｛無施肥〜前記育成期間と同量｝の範囲とすることを特徴とする請求項１に記載の競技場用天然芝の維持管理方法。
【請求項３】
前記休眠期間は、少なくとも前記天然芝の近傍における雰囲気を、一般大気又はＣＯ２を増加させた大気とすることを特徴とする請求項１又は請求項２に記載の競技場用天然芝の維持管理方法。
【請求項４】
前記休眠期間は、前記土壌の表面が乾燥したときのみ、前記土壌への灌水を行うことを特徴とする請求項１〜請求項３の何れか一項に記載の競技場用天然芝の維持管理方法。
【請求項５】
前記土壌が砂質土壌であることを特徴とする請求項１〜請求項４の何れか一項に記載の競技場用天然芝の維持管理方法。
【請求項６】
前記休眠期間が終了した後、前記育成期間において、前記天然芝の近傍における雰囲気温度を１５〜２０（℃）の範囲として前記天然芝を育成することを特徴とする請求項１〜請求項５の何れか一項に記載の競技場用天然芝の維持管理方法。
【発明の詳細な説明】
【技術分野】
【０００１】
本発明は、競技場用天然芝の維持管理方法に関する。
【背景技術】
【０００２】
例えば、野球、サッカー、ラグビー、又はテニス等の競技においては、競技場となるグラウンド（ピッチ）に天然芝が植生される（例えば、特許文献１〜５を参照）。また、雨天時においても競技における使用が容易であることや、固定型の屋根を有する全天候型のスタジアム等では天然芝への日照の取り込みが難しくなること等の理由により、人工芝が設置されたグラウンドも採用されている。一方、人工芝が設置されたグラウンドは、その人工的特性に起因する競技者の足腰への負担が大きくなることや、芝表面の外観が自然であることがより好まれる等の理由から、一般に、競技用としては天然芝が植生されたグラウンドが好ましいと考えられている。
【０００３】
一般に、天然芝は、例えば、高麗芝等の暖地型芝草（夏芝）と、ベントグラス等の寒地型芝草（冬芝）とがある。競技場用の天然芝を選定するにあたっては、競技場の立地や土壌等の生育環境、競技の種類等を考慮して芝種が選定される。
【０００４】
また、天然芝の適切な育成には、一般に、温度、光、水、養分（肥料）、空気、土壌の６要素のバランスが必要とされ、これら６要素がバランスよく適切な条件で与えられることで、良好な天然芝の育成が可能になる。一方、これら６要素のうちの何れか一つが欠ける場合には、良好な天然芝が得られない場合がある。また、上記の６要素のバランスが崩れた場合でも天然芝は成長するが、良好な天然芝にはなり難い。
【先行技術文献】
【特許文献】
【０００５】
【特許文献１】特開２００１−０１６９７３号公報
【特許文献２】特開２００１−０７８５７３号公報
【特許文献３】特開平５−２３０４３号公報
【特許文献４】特開平１０−４８０５４号公報
【特許文献５】特開平１０−３９号公報
【発明の概要】
【発明が解決しようとする課題】
【０００６】
ところで、上記のような各種競技、特にプロフェッショナルの競技においては、決して１年を通して試合が行われているわけではなく、例えば、数ヶ月間程度のオフシーズンの期間があり、この期間、競技場（グラウンド）が使用されない場合がある。一方、競技場の使用の有無にかかわらず、天然芝が植栽されたグラウンドは通年での維持管理が必要となる。このため、オフシーズンで競技場が使用されていない期間においても、天然芝の維持管理はシーズン中と同様に実施する必要があり、作業担当者の配置が必要となる他、人件費や各種維持経費等が増大するという問題があった。
【０００７】
本発明は上記課題に鑑みてなされたものであり、競技場を使用しない期間における天然芝の維持管理が簡便化でき、省力化やコストダウンを図ることが可能な競技場用天然芝の維持管理方法を提供することを目的とする。
【課題を解決するための手段】
【０００８】
本発明者等が上記の課題を解決するために鋭意検討したところ、オフシーズン等の競技場を使用しない期間において、天然芝の育成に必要な条件となる各要素を適切に調整することにより、天然芝の成長を強制的に止めて一時的に休眠させるとともに、回復可能な状態で休眠させることで、維持管理が簡便化できることを見いだし、本発明を完成させた。
【０００９】
即ち、本発明における第１の発明は、競技場の土壌に植生される寒地型芝草の天然芝を維持管理する、競技場用天然芝の維持管理方法であって、前記天然芝を育成する育成期間と、前記天然芝の育成を一時的に停止させる休眠期間とを交互に設け、前記休眠期間は、少なくとも前記天然芝の近傍における雰囲気温度を０（℃）超１０（℃）未満とし、且つ、前記天然芝に対する光の日積算光量を０〜４０（ｍｏｌ・ｍ−２・ｄａｙ−１）の範囲とすることを特徴とする。
【００１０】
上記構成の競技場用天然芝の維持管理方法によれば、寒地型芝草の天然芝に対し、休眠期間における、天然芝の近傍の雰囲気温度、及び、光の日積算光量（ＤＬＩ）を上記範囲の条件とすることにより、天然芝の育成（成長）をほぼ停止状態とすることができる。即ち、休眠中の天然芝は草丈が伸びないため、芝刈等の維持管理が不要となる。
一方、天然芝の休眠条件を上記範囲とすることにより、その後の育成期間における条件を適切に設定することで、天然芝を休眠状態から確実に回復（育成開始）させることが可能になる。
【００１１】
次に、本発明における第２の発明は、上記構成の競技場用天然芝の維持管理方法において、さらに、前記休眠期間が、前記土壌への肥料の施肥量を、｛無施肥〜前記育成期間と同量｝の範囲とすることを特徴とする。
【００１２】
上記構成の競技場用天然芝の維持管理方法によれば、休眠期間における土壌への肥料の施肥量を、無施肥から育成期間と同様の範囲、即ちゼロから通常の育成に必要な量の範囲とすることで、天然芝の育成をより効果的に停止状態とすることができる。また、その後の育成期間における適切な条件設定により、天然芝を休眠状態からより確実に回復させることが可能になる。
【００１３】
次に、本発明における第３の発明は、上記構成の競技場用天然芝の維持管理方法において、さらに、前記休眠期間が、少なくとも前記天然芝の近傍における雰囲気を、一般大気又はＣＯ２を増加させた大気とすることを特徴とする。
【００１４】
上記構成の競技場用天然芝の維持管理方法によれば、休眠期間における天然芝の近傍の雰囲気を上記雰囲気とすることで、天然芝の育成をさらに効果的に停止状態とすることができる。また、その後の育成期間における適切な条件設定により、天然芝を休眠状態からさらに確実に回復させることが可能になる。
【００１５】
次に、本発明における第４の発明は、上記構成の競技場用天然芝の維持管理方法において、さらに、前記休眠期間が、前記土壌の表面が乾燥したときのみ、前記土壌への灌水を行うことを特徴とする。
【００１６】
上記構成の競技場用天然芝の維持管理方法によれば、休眠期間における土壌への灌水を、土壌の表面が乾燥したときのみに限定することで、天然芝に根腐れが生じるのを防止できるので、良好な天然芝を得ることが可能になる。
【００１７】
次に、本発明における第５の発明は、上記構成の競技場用天然芝の維持管理方法において、前記土壌が砂質土壌であることを特徴とする。
【００１８】
上記構成の競技場用天然芝の維持管理方法によれば、土壌が砂質土壌であることで水はけが良好になるので、上記同様、根腐れ等が生じるのを防止でき、良好な天然芝を得ることが可能になる。
【００１９】
次に、本発明における第６の発明は、上記構成の競技場用天然芝の維持管理方法において、さらに、前記休眠期間が終了した後、前記育成期間において、前記天然芝の近傍における雰囲気温度を１５〜２０（℃）の範囲として前記天然芝を育成することを特徴とする。
【００２０】
上記構成の競技場用天然芝の維持管理方法によれば、休眠期間の後、育成期間における天然芝近傍の雰囲気温度を上記範囲とすることにより、温度上昇がスイッチとなって、休眠状態からの回復スピードが顕著に速められる。
【発明の効果】
【００２１】
本発明に係る競技場用天然芝の維持管理方法によれば、寒地型芝草の天然芝に対し、休眠期間における、天然芝の近傍の雰囲気温度を０（℃）超１０（℃）未満とし、且つ、天然芝に対する光の日積算光量を０〜４０（ｍｏｌ・ｍ−２・ｄａｙ−１）の範囲の条件とすることにより、天然芝の育成（成長）をほぼ停止状態とすることができる。即ち、休眠中の天然芝は草丈が伸びないため、芝刈等の維持管理が不要となる。
また、天然芝の休眠条件を上記範囲とすることにより、その後の育成期間における条件を適切に設定することで、天然芝を休眠状態から確実に回復させることができる。
従って、競技場を使用しない期間における天然芝の維持管理が簡便化でき、省力化やコストダウンを図ることが可能になる。
【図面の簡単な説明】
【００２２】
【図１】本発明に係る競技場用天然芝の維持管理方法による作用の実証実験について説明する図であり、寒地型芝草の天然芝を各種条件で養生したときの、養生日数と芝草中のクロロフィル量との関係を示すグラフである。
【図２】本発明に係る競技場用天然芝の維持管理方法による作用の実証実験について説明する図であり、寒地型芝草の天然芝を各種条件で養生したときの、養生日数と芝草中のショ糖量との関係を示すグラフである。
【発明を実施するための形態】
【００２３】
以下、本発明の実施形態である競技場用天然芝の維持管理方法（以下、単に維持管理方法と略称することがある。）の一例を挙げ、その構成について詳述する。
【００２４】
＜競技場用天然芝＞
本発明に係る維持管理方法において維持管理の対象となる競技場用の天然芝は、例えば、ベントグラス等の寒地型芝草（冬芝）である。上述したように、競技場用の天然芝の選定においては、立地条件や生育環境等を考慮する必要があるが、本発明の維持管理方法は天然芝を通年で維持する方法であり、冬期における維持管理を考慮し、寒地型芝草を対象としている。
【００２５】
＜競技場用天然芝の維持管理方法＞
本実施形態の競技場用天然芝の維持管理方法は、競技場の土壌に植生される寒地型芝草の天然芝を維持管理する方法であり、天然芝を育成する育成期間と、天然芝の育成を一時的に停止させる休眠期間とが交互に設けられる。そして、本実施形態の維持管理方法は、休眠期間において、少なくとも天然芝の近傍における雰囲気温度を０（℃）超１０（℃）未満とし、且つ、天然芝に対する光の日積算光量（ＤＬＩ）を０〜４０（ｍｏｌ・ｍ−２・ｄａｙ−１）の範囲とする。
【００２６】
上述したように、良好な天然芝の育成には、温度、光、水、養分（肥料）、空気、土壌の６要素がバランスよく適切な条件で与えられることが必要である。一方、競技のオフシーズン等の理由で競技場が使用されない期間においても、天然芝の維持管理は必要であり、この期間における維持管理を簡便化し、省力化やコストダウンを図ることが求められる。本発明では、以下に詳述するように、競技場を使用しない期間を天然芝の「休眠期間」とし、上記の６要素のうち、特に、温度及び光の条件を適切に調整することで、天然芝の成長を強制的に停止させ、回復可能、即ち育成が開始（再開）可能な状態で一時的に休眠させることで、維持管理を簡便化している。
【００２７】
ここで、本発明でいう「育成期間」とは、例えば、１年間のうちで競技場を使用する各種競技の「シーズン期間」及び「シーズン期間に入る前の準備期間」等に対応する期間であり、「休眠期間」とはオフシーズン等に対応する期間である。即ち、複数年を跨ぐスパンにおいては、上記の「育成期間」と「休眠期間」とが交互に設けられることになる。
【００２８】
［育成期間］
本実施形態の育成期間においては、天然芝を通常の条件で育成する。即ち、上記の温度（雰囲気温度）、光（太陽光又は照明光）、水（灌水）、養分（肥料）、空気（大気）、土壌（土壌の質）の６要素を、バランスよく適切な条件となるように調整しながら、天然芝を育成する。上記の６要素がバランスよく適切な条件とされることで、良好な天然芝の育成が可能になる一方で、６要素のうちの何れか一つが欠ける場合には、良好な天然芝が得られない場合もある。即ち、上記の６要素のバランスが崩れた場合でも天然芝は成長するが、良好な天然芝にはなり難いため、育成期間においては、これら６要素全てを適切な条件に調整することが要求される。
【００２９】
また、育成期間においては、良好な天然芝を育成するため、上記６要素に加えて、芝刈による草丈維持等の適切な管理も必要とされる。さらには、天然芝に寄生する病害虫や雑草への対策、芝の損傷部の適切な補修も重要とされる。
【００３０】
なお、育成期間においては、天然芝の近傍における雰囲気温度を１５〜２０（℃）の範囲として天然芝を育成することが好ましい。これは、詳細を後述する休眠期間の後、この休眠期間よりも高い温度に雰囲気温度を上昇させることで、温度上昇がスイッチとなって、天然芝の休眠状態からの回復スピードが顕著に速められるためである。ここで、育成期間における天然芝の近傍の雰囲気温度は、後述の休眠期間における雰囲気温度の上限（１０℃未満）よりも高い温度であれば、上記のような天然芝の回復スピードが速められる効果が得られるが、この効果をより顕著に得るためには、雰囲気温度を１５〜２０（℃）の範囲とすることが好ましい。
【００３１】
［休眠期間］
本実施形態においては、上記のように、休眠期間において、天然芝の育成を一時的に停止させる。
一般に、天然芝が植生されたグラウンドは、競技場の使用の有無にかかわらず、通年での天然芝の維持管理が必要となるが、本実施形態のように、天然芝の休眠期間を設けることで、競技場を使用しない期間における天然芝の維持管理を簡便化できる。
以下、天然芝の育成を停止させるための各条件について詳述する。
【００３２】
（温度）
本実施形態においては、休眠期間における、少なくとも天然芝の近傍における雰囲気温度を０（℃）超１０（℃）未満に調整する。休眠期間における天然芝近傍の温度を上記範囲とすることにより、天然芝の育成（成長）を、効果的に、ほぼ停止状態とすることができる。
天然芝の近傍における雰囲気温度が０（℃）以下だと、凍結のおそれがあり、最悪の場合には、天然芝が枯れてしまう可能性がある。また、天然芝が枯れない場合であっても、休眠状態からの回復が不可能になるおそれがあるため、好ましくない。
一方、天然芝の近傍における雰囲気温度が１０（℃）以上だと、天然芝の育成を停止させることが難しく、休眠状態とならないため、育成期間と同様の育成維持管理が必要となり、維持管理を簡便化することが困難となる。
また、天然芝の育成を確実に停止させ、且つ、その後の育成期間において休眠状態から確実に回復させる観点からは、天然芝の近傍における雰囲気温度を０（℃）超７（℃）未満に設定することがより好ましく、概ね５（℃）程度とすることが特に好ましい。
【００３３】
（光）
本実施形態においては、休眠期間における、天然芝に対する光の日積算光量（ＤＬＩ）を０〜４０（ｍｏｌ・ｍ−２・ｄａｙ−１）の範囲とする。休眠期間における、天然芝の近傍における雰囲気温度を上記の範囲とし、さらに、天然芝に対する光の日積算光量を上記範囲とすることで、天然芝の育成（成長）を、効果的に、ほぼ停止状態とすることができる。
【００３４】
休眠期間における、天然芝に対する光の日積算光量は、遮光状態、即ち、上記範囲における０（ゼロ）（ｍｏｌ・ｍ−２・ｄａｙ−１）とすることで、天然芝の育成を効果的に停止できる。一方、天然芝の育成を停止させるにあたり、光の日積算光量は、確実に育成を停止でき、且つ、葉焼けしない程度の光量の範囲であれば許容されるため、上限を４０（ｍｏｌ・ｍ−２・ｄａｙ−１）とする。
天然芝に対する光の日積算光量が４０（ｍｏｌ・ｍ−２・ｄａｙ−１）を超えると、天然芝の育成を停止させることが難しく、休眠状態になり難くなる可能性があるため、育成期間と同様の育成維持管理が必要となり、維持管理を簡便化することが困難となる。
【００３５】
なお、休眠期間において、天然芝に対して若干の光を与えることで、詳細を後述するように、光合成による養分が蓄積され、その後の回復速度が速められる観点から、日積算光量を２０（ｍｏｌ・ｍ−２・ｄａｙ−１）程度とすることがより好ましい。
【００３６】
（温度及び光による作用）
上記のように、本実施形態においては、寒地型芝草の天然芝に対し、休眠期間における、天然芝の近傍の雰囲気温度、及び、光の日積算光量を上記範囲の条件とすることにより、天然芝の育成（成長）をほぼ停止状態とすることができる。このように、天然芝の育成が停止して休眠状態となることで、草丈が伸びることがないので、芝刈等の維持管理が不要となる。
一方、天然芝の休眠条件を上記範囲とすることにより、その後の育成期間における条件を適切に設定することで、天然芝を休眠状態から確実に回復させることが可能になる。
【００３７】
一般に、低温下においては、天然芝は成長を停止することが知られている。
また、天然芝に光が与えられている場合には、クロロフィル（葉緑素）が光合成することでショ糖等の養分が蓄積される。一方、遮光された場合には、天然芝に蓄積されたエネルギーが消費される。これらの作用は、低温下においても同様である。
そして、低温状態から常温状態に戻ると、天然芝は成長を開始（育成の開始・回復）するが、光合成で蓄積された養分があると、成長開始時のスタートアップ速度が大きくなる。
上記のような、休眠中における養分の蓄積の観点からは、休眠期間においては、天然芝に対し、ＬＥＤ補光等の手段により、大きすぎない程度の光量で光を与えることがより好ましい。
【００３８】
ここで、本発明による作用の実証実験について、図１及び図２に示すグラフを用いて説明する。
図１は、寒地型芝草の天然芝を各種条件で養生したときの、養生日数と芝草中のクロロフィル量との関係を示すグラフであり、図２は、養生日数と芝草中のショ糖量との関係を示すグラフである。
【００３９】
図１のグラフ中に示すように、遮光状態（常温下）で天然芝を養生した場合には、芝草中のクロロフィル量は、一旦減少した後、８日目から増加に転じている。これは、遮光状態におかれた天然芝が光を求めたためと考えられる。
また、雰囲気温度を５℃とし、遮光状態で天然芝を養生した場合には、芝草中のクロロフィル量は、一旦激減した後、８日目から僅かに増加する。
また、雰囲気温度を５℃とし、ＬＥＤで補光しながら天然芝を養生した場合には、芝草中のクロロフィル量は、一旦減少した後、８日目から僅かに増加に転じている。
【００４０】
また、図２のグラフ中に示すように、遮光状態（常温下）で天然芝を養生した場合には、芝草中のショ糖量は激減している。
また、雰囲気温度を５℃とし、遮光状態で天然芝を養生した場合には、芝草中のショ糖量は、さらに顕著に激減している。
また、雰囲気温度を５℃とし、ＬＥＤで補光しながら天然芝を養生した場合には、芝草中のショ糖は、一旦減少した後、８日目から増加に転じている。
【００４１】
上記の実証実験の結果より、天然芝近傍の雰囲気温度を５℃とし、さらに、ＬＥＤ補光を行うことで、天然芝の育成を停止させ、且つ、天然芝中に含まれる養分（ショ糖）を増加させることが可能なことがわかる。
【００４２】
（その他の要素）
本実施形態においては、休眠期間における天然芝の育成をより効果的に停止させ、また、良好な天然芝を得る観点から、上記の温度及び光の２要素に加えて、さらに、養分（肥料）、空気、水、土壌の各要素を、以下のように調整することがより好ましい。
【００４３】
まず、養分について説明すると、休眠期間においては、土壌への肥料の施肥量を、｛無施肥〜育成期間と同量｝の範囲とすることがより好ましい。
即ち、肥料を与えないか、あるいは、肥料を与える場合でも、その施肥量の上限を育成期間と同量とすることで、休眠期間における天然芝の育成をより効果的に停止させることが可能となる。また、その後の育成期間における適切な条件設定により、天然芝を休眠状態からより確実に回復させることが可能になる。
休眠期間における施肥量が、育成期間における施肥量を超えると、天然芝の育成を停止させることが難しく、休眠状態になり難くなる可能性があるため、育成期間と同様の育成維持管理が必要となり、維持管理を簡便化することが困難となる。
【００４４】
また、肥料の与え方としては、特に限定されないが、例えば、通常期（育成期間）における量の１／５〜１／２程度の施肥量で、液肥の状態で２〜４回／週の頻度で施肥することができる。
【００４５】
次に、空気について説明すると、休眠期間においては、少なくとも天然芝の近傍における雰囲気を、一般大気又はＣＯ２を増加させた大気とすることがより好ましい。
即ち、休眠期間における天然芝の近傍の雰囲気を上記雰囲気とすることで、天然芝の育成をさらに効果的に停止状態とすることができる。また、その後の育成期間における適切な条件設定により、天然芝を休眠状態からさらに確実に回復させることが可能になる。
さらに、天然芝の近傍における雰囲気としては、空気に淀みが生じないように、僅かな気流を発生させることが特に好ましい。
【００４６】
次に、水について説明すると、休眠期間においては、土壌の表面が乾燥したときのみ、土壌への灌水を行うことがより好ましい。
土壌への灌水を、土壌の表面が乾燥したときのみに限定することにより、灌水が過剰とならず、天然芝に根腐れが生じるのを防止できるので、良好な天然芝を得ることが可能になる。
【００４７】
次に、土壌について説明すると、本実施形態の天然芝の維持管理方法においては、土壌が砂質土壌であることがより好ましい。
土壌が砂質土壌であることにより、上記同様、水はけが良好になるので、根腐れ等が生じるのを防止でき、良好な天然芝を得ることが可能になる。
【００４８】
［作用効果］
以上説明したように、本実施形態の競技場用天然芝の維持管理方法によれば、寒地型芝草の天然芝に対し、休眠期間における、天然芝の近傍の雰囲気温度を０（℃）超１０（℃）未満とし、且つ、天然芝に対する光の日積算光量を０〜４０（ｍｏｌ・ｍ−２・ｄａｙ−１）の範囲の条件とすることにより、天然芝の育成をほぼ停止状態とすることができる。即ち、休眠中の天然芝は草丈が伸びないため、芝刈等の維持管理が不要となる。
また、天然芝の休眠条件を上記範囲とすることにより、その後の育成期間における条件を適切に設定することで、天然芝を休眠状態から確実に回復させることができる。
従って、競技場を使用しない期間における天然芝の維持管理が簡便化でき、省力化やコストダウンを図ることが可能になる。
【実施例】
【００４９】
次に、本発明の実施例を示し、本発明をさらに具体的に説明するが、本発明は、本実施例によってその範囲が制限されるものではない。
【００５０】
本実施例においては、本発明で規定する休眠期間の効果を確認するため、下記表１中に示した実験例１〜５の条件で、天然芝を３０日間養生した後、育成状況を確認した。
本実施例においては、育成対象の天然芝として、寒地型芝草であるケンタッキーブルーグラスを用いた。
また、下記表１中に示した実験例３及び実験例５における、ＬＥＤによる補光は、日積算光量が２０（ｍｏｌ・ｍ−２・ｄａｙ−１）程度となるように調整した。
また、下記表１中に示した実験例４においては、最初の２週間は天然芝の雰囲気温度条件を５℃として遮光状態とし、その後、外気に約２週間晒しながら外気温（常温）下で日光による光を与えた。
また、下記表１中に示した実験例４においては、最初の２週間は天然芝の雰囲気温度条件を５℃としてＬＥＤによる補光を行い、その後、外気に約２週間晒しながら、外気温（常温）下で日光による光を与えた。
なお、本実施例においては、施肥は適宜実施した。
【００５１】
そして、各実験例における天然芝の育成状況を確認するため、草丈及び根の伸長寸法を測定し、その結果を下記表１に示した。
【００５２】
【表１】
2020022391.tif 000002
【００５３】
表１中に示すように、天然芝の雰囲気温度条件を外気温（常温）とし、遮光状態とした実験例１においては、草丈の伸長が１０ｍｍ以上２５ｍｍ未満の範囲となり、また、根の伸長が１０ｍｍ以下であった。
また、天然芝の雰囲気温度条件を５℃とし、遮光状態とした実験例２においては、草丈の伸長が１０ｍｍ以下であり、根の伸長も１０ｍｍ以下であった。
また、天然芝の雰囲気温度条件を５℃とし、外部からの光を遮光しながらＬＥＤによる補光を行った実験例３においても、草丈の伸長が１０ｍｍ以下であり、根の伸長も１０ｍｍ以下であった。
また、最初の２週間は、天然芝の雰囲気温度条件を５℃として遮光状態とし、その後、外気に約２週間晒しながら、外気温下で日光による光を与えた実験例４は、草丈の伸長が１０ｍｍ以上２５ｍｍ未満の範囲となり、また、根の伸長も１０ｍｍ以上２５ｍｍ未満の範囲となった。
また、最初の２週間は、天然芝の雰囲気温度条件を５℃として、外部からの光を遮光しながらＬＥＤによる補光を行い、その後、外気に約２週間晒しながら、外気温下で日光による光を与えた実験例５は、草丈の伸長が２５ｍｍ以上となり、根の伸長も２５ｍｍ以上となった。
【００５４】
実験例１及び実験例２の結果より、天然芝の育成は、雰囲気温度条件を低温状態とすることで概ね停止するが、さらに、遮光状態とすることでほぼ停止することがわかる。
また、実験例３の結果より、補光を行った場合であっても、低温条件及び遮光条件とすることで天然芝の育成は停止し、休眠状態となることがわかる。
一方、実験例４の結果より、低温条件及び遮光条件で天然芝の育成を停止させて休眠状態とした後、雰囲気温度条件を外気温（常温）とし、且つ、日光に晒すことで、天然芝が休眠状態から脱し、育成状態となることがわかる。
さらに、実験例５の結果より、低温条件及び遮光条件で天然芝の育成を停止させながら方向を行った後、雰囲気温度条件を外気温とし、且つ、日光に晒すことで、天然芝が急速に休眠状態から脱し、育成状態となることがわかる。
【００５５】
以上説明した実施例の結果より、寒地型芝草の天然芝に対し、天然芝の近傍の雰囲気温度を低温条件とし、且つ、天然芝に対する光の日積算光量を遮光又は４０（ｍｏｌ・ｍ−２・ｄａｙ−１）以下の条件とすることにより、天然芝の育成をほぼ停止させ、休眠状態となることが明らかとなった。さらに、低温条件及び遮光条件で天然芝の育成を停止させながら、天然芝に対して上記の条件で補光を行うことにより、その後、雰囲気温度を外気温に昇温させ、且つ、日光に晒した際に、急速に休眠状態を脱して生育することが明らかとなった。従って、本発明に係る競技場用天然芝の維持管理方法を適用することで、休眠期間における天然芝の維持管理を簡便化することができる一方、その後の昇温や光の条件により、天然芝を休眠状態から確実に回復させることが可能となることが確認できた。
【産業上の利用可能性】
【００５６】
本発明の競技場用天然芝の維持管理方法は、競技場を使用しない期間における天然芝の維持管理が簡便化でき、省力化やコストダウンを図ることが可能であることから、例えば、野球、サッカー、ラグビー、又はテニス等の各種競技が行われる競技場における天然芝の維持管理に幅広く適用することができる。
【図１】
2020022391.tif 000003
【図２】
2020022391.tif 000004